【手続補正書】
【提出日】平成19年3月27日(2007.3.27)
【手続補正１】
【補正対象書類名】明細書
【補正対象項目名】特許請求の範囲
【補正方法】変更
【補正の内容】
【特許請求の範囲】
【請求項１】
映像信号に対応する一連のトランスポートパケットにより構成されるトランスポートストリームから前記トランスポートパケットを抽出し、該トランスポートパケットに対応して前記映像信号の種別を解析する種別解析手段と、
抽出された前記トランスポートパケットを記録媒体に記録する記録手段と、
前記トランスポートパケットのうちで、対応する映像信号の種別がＩピクチャであるトランスポートパケットが前記記録媒体に記録される位置を示す記録アドレス情報を含むＩピクチャ管理テーブルを作成する管理テーブル作成手段と、
を備えるデジタル信号記録装置であって、
前記記録媒体は、前記トランスポートパケットを記録する領域とは別に、テーブル管理領域を有し、
前記Ｉピクチャ管理テーブルは、前記記録手段によって前記テーブル管理領域に記録されることを特徴とするデジタル信号記録装置。
【請求項２】
種別解析手段は、ＭＰＥＧ２で定められているピクチャレイヤのヘッダを解析することを特徴とする請求項１に記載のデジタル信号記録装置。
【請求項３】
Ｉピクチャ管理テーブルは、Ｉピクチャであるトランスポートパケットの長さを示す情報を含むことを特徴とする請求項１または２に記載のデジタル信号記録装置。
【請求項４】
記録アドレス情報は、Ｉピクチャのスタートアドレスとエンドアドレスからなることを特徴とする請求項１乃至３のいずれか１項に記載のデジタル信号記録装置。
【請求項５】
映像信号に対応する一連のトランスポートパケットにより構成されるトランスポートストリームから前記トランスポートパケットを抽出し、該トランスポートパケットに対応して前記映像信号の種別を解析する種別解析手段と、
抽出された前記トランスポートパケットを記録媒体に記録する記録手段と、
前記トランスポートパケットのうちで、対応する映像信号の種別がＩピクチャであるトランスポートパケットが前記記録媒体に記録される位置を示すＩピクチャ記録アドレス情報と対応する映像信号の種別がＰピクチャであるトランスポートパケットが前記記録媒体に記録される位置を示すＰピクチャ記録アドレス情報とを含む、ピクチャ管理テーブルを作成する管理テーブル作成手段と、
を備えるデジタル信号記録装置であって、
前記記録媒体は、前記トランスポートパケットを記録する領域とは別に、テーブル管理領域を有し、
前記ピクチャ管理テーブルは、前記記録手段によって前記テーブル管理領域に記録されることを特徴とするデジタル信号記録装置。
【請求項６】
種別解析手段は、ＭＰＥＧ２で定められているピクチャレイヤのヘッダを解析することを特徴とする請求項５に記載のデジタル信号記録装置。
【請求項７】
ピクチャ管理テーブルは、Ｉピクチャ記録アドレス情報及びＰピクチャ記録アドレス情報のそれぞれに対応するピクチャの種別に関する情報を含むことを特徴とする請求項５または６に記載のデジタル信号記録装置。
【請求項８】
ピクチャ管理テーブルは、Ｉピクチャであるトランスポートパケットの長さを示す情報とＰピクチャであるトランスポートパケットの長さを示す情報とを含むことを特徴とする請求項５乃至７のいずれか１項に記載のデジタル信号記録装置。
【請求項９】
Ｉピクチャ記録アドレス情報は、Ｉピクチャのスタートアドレスとエンドアドレスからなるとともに、
Ｐピクチャ記録アドレス情報は、Ｐピクチャのスタートアドレスとエンドアドレスからなること
を特徴とする請求項５乃至８のいずれか１項に記載のデジタル信号記録装置。
【請求項１０】
記録媒体から、前記記録媒体に記録された映像信号に対応する一連のトランスポートパケットのうちで、対応する映像信号の種別がＩピクチャであるトランスポートパケットが前記記録媒体に記録された位置を示す記録アドレス情報を含むＩピクチャ管理テーブルを読み出すとともに、前記記録媒体から、前記記録アドレス情報に基づいて、前記一連のトランスポートパケットのうちで、対応する映像信号の種別がＩピクチャであるトランスポートパケットを選択的に読み出すデータ読み出し手段と、
前記データ読み出し手段で選択的に読み出されたトランスポートパケットを再生する再生手段と
を備えることを特徴とするデジタル信号再生装置。
【請求項１１】
Ｉピクチャ管理テーブルは、Ｉピクチャであるトランスポートパケットの長さを示す情報を含むことを特徴とする請求項１０に記載のデジタル信号再生装置。
【請求項１２】
記録アドレス情報は、Ｉピクチャのスタートアドレスとエンドアドレスからなることを特徴とする請求項１０または１１に記載のデジタル信号再生装置。
【請求項１３】
記録媒体から、前記記録媒体に記録された映像信号に対応する一連のトランスポートパケットのうちで、対応する映像信号の種別がＩピクチャであるトランスポートパケットが前記記録媒体に記録された位置を示すＩピクチャ記録アドレス情報と対応する映像信号の種別がＰピクチャであるトランスポートパケットが前記記録媒体に記録された位置を示すＰピクチャ記録アドレス情報とを含むピクチャ管理テーブルを読み出すとともに、前記記録媒体から、前記Ｉピクチャ記録アドレス情報と前記Ｐピクチャ記録アドレス情報とに基づいて、前記一連のトランスポートパケットのうちで、対応する映像信号の種別がＩピクチャであるトランスポートパケットと対応する映像信号の種別がＰピクチャであるトランスポートパケットとを選択的に読み出すデータ読み出し手段と、
前記データ読み出し手段で選択的に読み出されたトランスポートパケットを再生する再生手段と
を備えることを特徴とするデジタル信号再生装置。
【請求項１４】
ピクチャ管理テーブルは、Ｉピクチャ記録アドレス情報及びＰピクチャ記録アドレス情報のそれぞれに対応するピクチャの種別に関する情報を含むことを特徴とする請求項１３に記載のデジタル信号再生装置。
【請求項１５】
ピクチャ管理テーブルは、Ｉピクチャであるトランスポートパケットの長さを示す情報とＰピクチャであるトランスポートパケットの長さを示す情報とを含むことを特徴とする請求項１３または１４に記載のデジタル信号再生装置。
【請求項１６】
Ｉピクチャ記録アドレス情報は、Ｉピクチャのスタートアドレスとエンドアドレスからなるとともに、
Ｐピクチャ記録アドレス情報は、Ｐピクチャのスタートアドレスとエンドアドレスからなること
を特徴とする請求項１３乃至１５のいずれか１項に記載のデジタル信号再生装置。
【請求項１７】
映像信号に対応する一連のトランスポートパケットにより構成されるトランスポートストリームから前記トランスポートパケットを抽出し、該トランスポートパケットに対応して前記映像信号の種別を解析する種別解析ステップと、
抽出された前記トランスポートパケットを記録媒体に記録する記録ステップと、
前記トランスポートパケットのうちで、対応する映像信号の種別がＩピクチャであるトランスポートパケットが前記記録媒体に記録される位置を示す記録アドレス情報を含むＩピクチャ管理テーブルを作成する管理テーブル作成ステップとからなるデジタル信号記録方法であって、
前記記録媒体は、前記トランスポートパケットを記録する領域とは別に、テーブル管理領域を有し、
前記Ｉピクチャ管理テーブルは、前記記録ステップにおいて、前記テーブル管理領域に記録されることを特徴とするデジタル信号記録方法。
【請求項１８】
映像信号に対応する一連のトランスポートパケットにより構成されるトランスポートストリームから前記トランスポートパケットを抽出し、該トランスポートパケットに対応して前記映像信号の種別を解析する種別解析ステップと、
抽出された前記トランスポートパケットを記録媒体に記録する記録ステップと、
前記トランスポートパケットのうちで、対応する映像信号の種別がＩピクチャであるトランスポートパケットが前記記録媒体に記録される位置を示すＩピクチャ記録アドレス情報と対応する映像信号の種別がＰピクチャであるトランスポートパケットが前記記録媒体に記録される位置を示すＰピクチャ記録アドレス情報とを含む、ピクチャ管理テーブルを作成する管理テーブル作成ステップとからなるデジタル信号記録方法であって、
前記記録媒体は、前記トランスポートパケットを記録する領域とは別に、テーブル管理領域を有し、
前記ピクチャ管理テーブルは、前記記録ステップにおいて前記テーブル管理領域に記録されることを特徴とするデジタル信号記録方法。
【請求項１９】
記録媒体から、前記記録媒体に記録された映像信号に対応する一連のトランスポートパケットのうちで、対応する映像信号の種別がＩピクチャであるトランスポートパケットが前記記録媒体に記録された位置を示す記録アドレス情報を含むＩピクチャ管理テーブルを読み出すとともに、前記記録媒体から、前記記録アドレス情報に基づいて、前記一連のトランスポートパケットのうちで、対応する映像信号の種別がＩピクチャであるトランスポートパケットを選択的に読み出すデータ読み出しステップと、
前記データ読み出しステップにおいて、選択的に読み出されたトランスポートパケットを再生する再生ステップと
を備えることを特徴とするデジタル信号再生方法。
【請求項２０】
記録媒体から、前記記録媒体に記録された映像信号に対応する一連のトランスポートパケットのうちで、対応する映像信号の種別がＩピクチャだえるトランスポートパケットが前記記録媒体に記録された位置を示すＩピクチャ記録アドレス情報と対応する映像信号の種別がＰピクチャであるトランスポートパケットが前記記録媒体に記録された位置を示すＰピクチャ記録アドレス情報とを含むピクチャ管理テーブルを読み出すとともに、前記記録媒体から、前記Ｉピクチャ記録アドレス情報と前記Ｐピクチャ記録アドレス情報とに基づいて、前記一連のトランスポートパケットのうちで、対応する映像信号の種別がＩピクチャであるトランスポートパケットと対応する映像信号の種別がＰピクチャであるトランスポートパケットとを選択的に読み出すデータ読み出しステップと、
前記データ読み出しステップにおいて、選択的に読み出されたトランスポートパケットを再生する再生ステップと
を備えることを特徴とするデジタル信号再生方法。
【手続補正２】
【補正対象書類名】明細書
【補正対象項目名】００１４
【補正方法】変更
【補正の内容】
【００１４】
【課題を解決するための手段】
本発明に係るデジタル信号記録装置は、映像信号に対応する一連のトランスポートパケットにより構成されるトランスポートストリームから前記トランスポートパケットを抽出し、該トランスポートパケットに対応して前記映像信号の種別を解析する種別解析手段と、抽出された前記トランスポートパケットを記録媒体に記録する記録手段と、前記トランスポートパケットのうちで、対応する映像信号の種別がＩピクチャであるトランスポートパケットが前記記録媒体に記録される位置を示す記録アドレス情報を含むＩピクチャ管理テーブルを作成する管理テーブル作成手段とを備えるデジタル信号記録装置であって、前記記録媒体は、前記トランスポートパケットを記録する領域とは別に、テーブル管理領域を有し、前記Ｉピクチャ管理テーブルは、前記記録手段によって前記テーブル管理領域に記録されることを特徴とする。
【手続補正３】
【補正対象書類名】明細書
【補正対象項目名】００１５
【補正方法】変更
【補正の内容】
【００１５】
また、本発明に係るデジタル信号記録装置は、映像信号に対応する一連のトランスポートパケットにより構成されるトランスポートストリームから前記トランスポートパケットを抽出し、該トランスポートパケットに対応して前記映像信号の種別を解析する種別解析手段と、抽出された前記トランスポートパケットを記録媒体に記録する記録手段と、前記トランスポートパケットのうちで、対応する映像信号の種別がＩピクチャであるトランスポートパケットが前記記録媒体に記録される位置を示すＩピクチャ記録アドレス情報と対応する映像信号の種別がＰピクチャであるトランスポートパケットが前記記録媒体に記録される位置を示すＰピクチャ記録アドレス情報とを含む、ピクチャ管理テーブルを作成する管理テーブル作成手段とを備えるデジタル信号記録装置であって、前記記録媒体は、前記トランスポートパケットを記録する領域とは別に、テーブル管理領域を有し、前記ピクチャ管理テーブルは、前記記録手段によって前記テーブル管理領域に記録されることを特徴とする。
【手続補正４】
【補正対象書類名】明細書
【補正対象項目名】００１６
【補正方法】変更
【補正の内容】
【００１６】
また、本発明に係るデジタル信号再生装置は、記録媒体から、前記記録媒体に記録された映像信号に対応する一連のトランスポートパケットのうちで、対応する映像信号の種別がＩピクチャであるトランスポートパケットが前記記録媒体に記録された位置を示す記録アドレス情報を含むＩピクチャ管理テーブルを読み出すとともに、前記記録媒体から、前記記録アドレス情報に基づいて、前記一連のトランスポートパケットのうちで、対応する映像信号の種別がＩピクチャであるトランスポートパケットを選択的に読み出すデータ読み出し手段と、前記データ読み出し手段で選択的に読み出されたトランスポートパケットを再生する再生手段とを備えることを特徴とする。
【手続補正５】
【補正対象書類名】明細書
【補正対象項目名】００１７
【補正方法】変更
【補正の内容】
【００１７】
また、本発明に係るデジタル信号再生装置は、記録媒体から、前記記録媒体に記録された映像信号に対応する一連のトランスポートパケットのうちで、対応する映像信号の種別がＩピクチャであるトランスポートパケットが前記記録媒体に記録された位置を示すＩピクチャ記録アドレス情報と対応する映像信号の種別がＰピクチャであるトランスポートパケットが前記記録媒体に記録された位置を示すＰピクチャ記録アドレス情報とを含むピクチャ管理テーブルを読み出すとともに、前記記録媒体から、前記Ｉピクチャ記録アドレス情報と前記Ｐピクチャ記録アドレス情報とに基づいて、前記一連のトランスポートパケットのうちで、対応する映像信号の種別がＩピクチャであるトランスポートパケットと対応する映像信号の種別がＰピクチャであるトランスポートパケットとを選択的に読み出すデータ読み出し手段と、前記データ読み出し手段で選択的に読み出されたトランスポートパケットを再生する再生手段とを備えることを特徴とする。
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】
【手続補正３０】
【補正対象書類名】明細書
【補正対象項目名】００４２
【補正方法】削除
【補正の内容】
【手続補正３１】
【補正対象書類名】明細書
【補正対象項目名】００４３
【補正方法】削除
【補正の内容】
【手続補正３２】
【補正対象書類名】明細書
【補正対象項目名】００４４
【補正方法】削除
【補正の内容】
【手続補正３３】
【補正対象書類名】明細書
【補正対象項目名】０２５３
【補正方法】変更
【補正の内容】
【０２５３】
本発明に係るデジタル信号記録装置は、全Ｉピクチャの記録位置を管理するための管理テーブルを有しているため、全Ｉピクチャの記録位置を管理するための管理テーブルを有しない場合と比べ、管理テーブルの情報に基づいて再生する際に、きめ細かい早送り再生が実現できる。
【手続補正３４】
【補正対象書類名】明細書
【補正対象項目名】０２５４
【補正方法】変更
【補正の内容】
【０２５４】
また、本発明に係るデジタル信号記録装置は、Ｉ及びＰピクチャの記録位置を管理するための管理テーブルを有しているため、ＩまたはＰピクチャだけがデコードされて表示され、Ｉピクチャのみの表示に比べ、アクセスするピクチャのスキップ間隔が短くなり、これにより、管理テーブルの情報に基づいて再生する際に、よりなめらかな早送り再生が実現できる。
【手続補正３５】
【補正対象書類名】明細書
【補正対象項目名】０２５５
【補正方法】変更
【補正の内容】
【０２５５】
また、本発明に係るデジタル信号再生装置は、全Ｉピクチャの記録位置を管理するための管理テーブルの情報に基づいて再生するので、きめ細かい早送り再生が実現できる。
【手続補正３６】
【補正対象書類名】明細書
【補正対象項目名】０２５６
【補正方法】変更
【補正の内容】
【０２５６】
また、本発明に係るデジタル信号再生装置は、Ｉ及びＰピクチャの記録位置を管理するための管理テーブルの情報に基づいて再生するので、よりなめらかな早送り再生が実現できる。
【手続補正３７】
【補正対象書類名】明細書
【補正対象項目名】０２５７
【補正方法】削除
【補正の内容】
【手続補正３８】
【補正対象書類名】明細書
【補正対象項目名】０２５８
【補正方法】削除
【補正の内容】
【手続補正３９】
【補正対象書類名】明細書
【補正対象項目名】０２５９
【補正方法】削除
【補正の内容】
【手続補正４０】
【補正対象書類名】明細書
【補正対象項目名】０２６０
【補正方法】削除
【補正の内容】
【手続補正４１】
【補正対象書類名】明細書
【補正対象項目名】０２６１
【補正方法】削除
【補正の内容】
【手続補正４２】
【補正対象書類名】明細書
【補正対象項目名】０２６２
【補正方法】削除
【補正の内容】
【手続補正４３】
【補正対象書類名】明細書
【補正対象項目名】０２６３
【補正方法】削除
【補正の内容】
【手続補正４４】
【補正対象書類名】明細書
【補正対象項目名】０２６４
【補正方法】削除
【補正の内容】
【手続補正４５】
【補正対象書類名】明細書
【補正対象項目名】０２６５
【補正方法】削除
【補正の内容】
【手続補正４６】
【補正対象書類名】明細書
【補正対象項目名】０２６６
【補正方法】削除
【補正の内容】
【手続補正４７】
【補正対象書類名】明細書
【補正対象項目名】０２６７
【補正方法】削除
【補正の内容】
【手続補正４８】
【補正対象書類名】明細書
【補正対象項目名】０２６８
【補正方法】削除
【補正の内容】
【手続補正４９】
【補正対象書類名】明細書
【補正対象項目名】０２６９
【補正方法】削除
【補正の内容】
【手続補正５０】
【補正対象書類名】明細書
【補正対象項目名】０２７０
【補正方法】削除
【補正の内容】
【手続補正５１】
【補正対象書類名】明細書
【補正対象項目名】０２７１
【補正方法】削除
【補正の内容】
【手続補正５２】
【補正対象書類名】明細書
【補正対象項目名】０２７２
【補正方法】削除
【補正の内容】
【手続補正５３】
【補正対象書類名】明細書
【補正対象項目名】０２７３
【補正方法】削除
【補正の内容】
【手続補正５４】
【補正対象書類名】明細書
【補正対象項目名】０２７４
【補正方法】削除
【補正の内容】
【手続補正５５】
【補正対象書類名】明細書
【補正対象項目名】０２７５
【補正方法】削除
【補正の内容】
【手続補正５６】
【補正対象書類名】明細書
【補正対象項目名】０２７６
【補正方法】削除
【補正の内容】
【手続補正５７】
【補正対象書類名】明細書
【補正対象項目名】０２７７
【補正方法】削除
【補正の内容】
【手続補正５８】
【補正対象書類名】明細書
【補正対象項目名】０２７８
【補正方法】削除
【補正の内容】
【手続補正５９】
【補正対象書類名】明細書
【補正対象項目名】０２７９
【補正方法】削除
【補正の内容】
【手続補正６０】
【補正対象書類名】明細書
【補正対象項目名】０２８０
【補正方法】削除
【補正の内容】
【手続補正６１】
【補正対象書類名】明細書
【補正対象項目名】０２８１
【補正方法】削除
【補正の内容】
【手続補正６２】
【補正対象書類名】明細書
【補正対象項目名】０２８２
【補正方法】削除
【補正の内容】
【手続補正６３】
【補正対象書類名】明細書
【補正対象項目名】０２８３
【補正方法】削除
【補正の内容】